(57)【要約】      （修正有）【課題】座面と膝置きによって座る姿勢を支える構造の椅子であって、着席又は離席するときに座面や膝置きをまたぐ動作を必要としないことに加え、身長と机の高さの任意の組み合わせに対応して、椅子に座ったときの上体の角度が最適な状態になるように誘導することができる椅子を作成する。【解決手段】この考案による椅子は、全体的な骨格を座板１及びこれを支える支柱Ａ４、５、膝置き板２及びこれを支える支柱Ｂ６、７、８並びに底板３の５つの部材を組み合わせたＵ字型の構造にしたうえで、支柱Ａを構成する支柱５及び支柱４、並びに支柱Ｂを構成する支柱６、支柱７及び支柱８については、高さ又は間隔を調整することができるよう伸縮方式で組み合わせた構造にする。【選択図】図３
0003232387.tif 000002
【実用新案登録請求の範囲】
【請求項１】
第１に、全体的な骨格が座板（１）及びこれを支える支柱Ａ、膝置き板（２）及びこれを支える支柱Ｂ並びに底板（３）の５つの部材を組み合わせたＵ字型の構造であること、第２に、支柱Ａについては、支柱Ａア（４）及び座板（１）を固定した支柱Ａイ（５）を上下方向の伸縮式で組み合わせた構造であること、第３に、支柱Ｂについては、支柱Ｂア（６）、支柱Ｂイ（７）及び支柱Ｂウ（８）を組み合わせた構造であること、第４に、支柱Ｂア（６）及び支柱Ｂイ（７）を上下方向の伸縮式で組み合わせた構造であること、第５に、支柱Ｂイ（７）及び膝置き板（２）を固定した支柱Ｂウ（８）については、膝置き板（２）と座板（１）の間隔を調整することができるように組み合わせた構造であること、第６に、支柱Ａア（４）及び支柱Ｂア（６）については、座板（１）及び膝置き板（２）の上面をＶ字型で向かい合わせた配置にしたうえで、底板（３）に立てて固定した構造であること、という６つの特徴を兼ね備えた構造の椅子。
【考案の詳細な説明】
【技術分野】
【０００１】
この考案は、傾斜のある座面と膝置きによって座る姿勢を支える構造の椅子に関するものである。
【先行技術文献】
【非特許文献】
【０００２】
【非特許文献１】「差尺に関する研究―作業効率からみた寸法の検討―」（小原二郎、大内一雄、寺門弘道）
【考案の概要】
【考案が解決しようとする課題】
【０００３】
座面と膝置きによって座る姿勢を支える構造の椅子であって、着席又は離席するときに座面や膝置きをまたぐ動作を必要としないことに加え、身長と机の高さの任意の組み合わせに対応して、座ったときの上体の角度が最適な状態（１２０度）になるように誘導することができる椅子を作成する。
【課題を解決するための手段】
【０００４】
この考案による椅子は、全体的な骨格を、座板（１）及びこれを支える支柱Ａ、膝置き板（２）及びこれを支える支柱Ｂ並びに底板（３）の５つの部材を組み合わせたＵ字型とする。
【０００５】
支柱Ａは、支柱Ａア（４）及び支柱Ａイ（５）を伸縮式で組み合わせた構造にする。
【０００６】
支柱Ｂは、支柱Ｂア（６）、支柱Ｂイ（７）及び支柱Ｂウ（８）を伸縮式で組み合わせた構造にする。
【０００７】
この椅子の全体的な骨格は、座板（１）の上面で座骨が当たる部分（以下、座位基準点（９）という。）及び膝置き板（２）の上面で膝蓋骨（膝の皿）が当たる部分（以下、膝位基準点（１０）という。）を基準点とし、さらに、座位基準点を通る垂直線（以下、第１軸（１１）という。）、膝位基準点を通る垂直線（以下、第２軸（１２）という。）及び座位基準点（９）と膝位基準点（１０）を結ぶ線（以下、第３軸（１３）という。）を基準線として形成する。
【０００８】
座位基準点（９）の高さには、机（天板上面）の高さから差尺の高さを差し引いた高さを当てはめる。
【０００９】
座位基準点（９）の高さを求めるときの差尺の高さは、「身長×０．５５÷３」の計算式を使って求める。
【００１０】
座板（１）の高さを調整する機能を持たせるため、座位基準点（９）の最高の高さには、この考案による椅子が対象とする範囲の身長と机の高さの組み合わせにおいて、机の高さから差尺の高さを差し引いた高さのうち最も高い数値を、最低の高さには最も低い数値を当てはめる。
【００１１】
この考案による椅子を作製する場合の座板（１）の高さに対しては、用途や体格の違いに応じて柔軟に調整することができるようにするため、最高の高さとして座位基準点（９）の最高の高さに２０mm程度を加えた数値を、最低の高さとして２０mm程度差し引いた数値を用いる。
【００１２】
第３軸（１３）は、椅子に座ったときに最適とされる上体の角度（１２０度）に対応させた傾きにする。この傾きは、単純に対応させれば水平線に対して３０度になるが、座骨先端と股関節の間に隙間があるため、この椅子の骨格においては２０度程度の傾きとする。
【００１３】
第３軸（１３）の長さ（第１基準点（９）と第２基準点（１０）の間隔）は、身長差に伴う大腿部の長さの差に対応させて最長４６ｃｍ程度、最短４２ｃｍ程度の範囲で設定する。
【００１４】
座板（１）は、その上面中央部を座位基準点（９）に合わせたうえで、第３軸（１３）と同じ傾きで支柱Ａイ（５）の上部に固定する。
【００１５】
支柱Ａア（４）及び支柱Ａイ（５）は、座板（１）の高さを前記の２０ｍｍ程度加減した後の高さの範囲で調整することができる構造により上下方向の伸縮式で組み合わせる。
【００１６】
膝置き板（２）は、その上面中央部を膝位基準点（１０）に合わせたうえで、膝蓋骨部分に負担がかからないことやつま先を底板（３）に置いて座ることを考慮し、水平線に対し４０度程度傾けて支柱Ｂウ（８）の先端に固定する。
【００１７】
支柱Ｂア（６）及び支柱Ｂイ（７）は、膝置き板（２）の高さを座板（１）と同じ範囲で調整することができる構造により上下方向の伸縮式で組み合わせる。
【００１８】
支柱Ｂイ（７）及び支柱Ｂウ（８）は、膝置き板（２）と座板（１）の間隔を調整することができる構造により伸縮式で組み合わせる。具体的には、支柱Ｂウ（８）が第３軸（１３）に沿って、前記により設定した第３軸（１３）の最長から最短の寸法を差し引いた長さの範囲で移動することができる構造で組み合わせる。
【００１９】
支柱Ａア（４）及び支柱Ｂア（６）は、底板（３）に立てて固定する。この場合、座板（１）及び膝置き板（２）の上面がＶ字型で向かい合うようにしたうえで、第３基準線（１３）の長さが前記で設定した最長になるように配置する。したがって、支柱Ｂウ（８）を移動させて膝置き板（２）と座板（１）の間隔を調整する機能は、大腿部の長さが短い場合に使うことになる。
【００２０】
支柱Ａア（４）と支柱Ａイ（５）、支柱Ｂア（６）と支柱Ｂイ（７）及び支柱Ｂイ（７）と支柱Ｂウ（８）を組み合わせる部分については、ボルト・ナットで締め付けることによって調整後の位置を保持することができる構造にする。
【考案の効果】
【００２１】
第１に、この考案による椅子は、座板（１）の高さを、身長と机の高さの任意の組み合わせに対応した最適な高さに調整することができる。
【００２２】
第２に、上記第１により調整した後の座板（１）に座ったときの上体の姿勢（角度）について、座板（１）と同様に高さを調整した膝当て板（２）に膝を置くことにより、最適とされる状態になるよう誘導することができる。
【００２３】
第３に、第２の効果については、身長に違いがある場合は大腿部の長さに違いがあることにも対応したうえで発揮することができる。
【００２４】
第４に、座板（１）及び膝置き板（２）を固定した底板（３）に立って着席、離席の動作をするため安定感に優れている。
【００２５】
第５に、つま先を底板（３）において座ることができるため、下腿部の姿勢に無理がかからず疲れにくい。
【００２６】
第６に、底板（３）の広い面で荷重を受け止めるため、カーペット等の上でも使うことができるなど床面に対する影響を最小限にすることができる。
【図面の簡単な説明】
【００２７】
【図１】高さ調整機能等を使う前の椅子の状態を側面からみた立面図である。
【図２】図１の椅子の状態を真上から見た平面図である。
【図３】高さ調整機能等を使った後の椅子の状態を側面からみた立面図である。
【図４】基準点及び基準線の関係を示す図面である。
【符号の説明】
【００２８】
１  座板
２  膝置き板
３  底板
４  支柱Ａア
５  支柱Ａイ
６  支柱Ｂア
７  支柱Ｂイ
８  支柱Ｂウ
９  座位基準点
１０  膝位基準点
１１  第１軸
１２  第２軸
１３  第３軸
１４  底板の下面
【図１】
0003232387.tif 000003
【図２】
0003232387.tif 000004
【図３】
0003232387.tif 000005
【図４】
0003232387.tif 000006
【手続補正書】
【提出日】令和3年3月26日(2021.3.26)
【手続補正１】
【補正対象書類名】明細書
【補正対象項目名】００１３
【補正方法】変更
【補正の内容】
【００１３】
第３軸（１３）の長さ（座位基準点（９）と膝位基準点（１０）の間隔）は、身長差に伴う大腿部の長さの差に対応させて最長４６ｃｍ程度、最短４２ｃｍ程度の範囲で設定する。
【手続補正２】
【補正対象書類名】明細書
【補正対象項目名】００１９
【補正方法】変更
【補正の内容】
【００１９】
支柱Ａア（４）及び支柱Ｂア（６）は、底板（３）に立てて固定する。この場合、座板（１）及び膝置き板（２）の上面がＶ字型で向かい合うようにしたうえで、第３軸（１３）の長さが前記で設定した最長になるように配置する。したがって、支柱Ｂウ（８）を移動させて膝置き板（２）と座板（１）の間隔を調整する機能は、大腿部の長さが短い場合に使うことになる。
【手続補正３】
【補正対象書類名】明細書
【補正対象項目名】００２２
【補正方法】変更
【補正の内容】
【００２２】
第２に、上記第１により調整した後の座板（１）に座ったときの上体の姿勢（角度）について、座板（１）と同様に高さを調整した膝置き板（２）に膝を置くことにより、最適とされる状態になるよう誘導することができる。